【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ビデオコンテンツを記憶するためのファイルを生成する方法であって、
前記ファイルが特定のファイルフォーマットに従うように前記ファイルのコンテナボックスを生成するステップであって、前記コンテナボックスを生成するステップは、
前記コンテナボックス内で、1つまたは複数のグループ説明エントリを含むSampleGroupDescriptionボックスを生成するステップであって、各それぞれのグループ説明エントリは、それぞれのサンプルグループに対する説明を与え、前記SampleGroupDescriptionボックスはサンプルグルーピングのタイプを識別するグルーピングタイプシンタックス要素をさらに含み、前記SampleGroupDescriptionボックス内の前記グルーピングタイプシンタックス要素は特定の値を有し、前記コンテナボックスはサンプルテーブルボックスまたはトラックフラグメントボックスであり、前記特定のファイルフォーマットの要件は、前記グルーピングタイプシンタックス要素の前記特定の値を持つ前記コンテナボックス内のSampleGroupDescriptionボックスが1つしかないということである、ステップと、
前記ファイルの同じコンテナボックス内で、複数のSampleToGroupボックスを生成するステップであって、前記複数のSampleToGroupボックスの各それぞれのSampleToGroupボックスは前記特定の値を有するそれぞれのグルーピングタイプシンタックス要素を含み、各それぞれのSampleToGroupボックスは1つまたは複数のサンプルグループエントリを含み、前記1つまたは複数のサンプルグループエントリのうちの各それぞれのサンプルグループエントリはそれぞれのサンプルグループ内のサンプルの数を指示するそれぞれのサンプルカウントシンタックス要素を含み、前記1つまたは複数のサンプルグループエントリのうちの各それぞれのサンプルグループエントリは前記それぞれのサンプルグループの説明を与える前記SampleGroupDescriptionボックス内のグループ説明エントリのインデックスを指示するそれぞれのグループ説明インデックスシンタックス要素を含み、前記それぞれのサンプルグループの各サンプルは前記ビデオコンテンツの1つまたは複数のピクチャを含む、ステップとを含む、ステップと、
前記ファイルを出力するステップとを含む方法。
【請求項２】
前記複数のSampleToGroupボックスを生成するステップは、前記複数のSampleToGroupボックスのうちの各それぞれのSampleToGroupボックスについて、前記それぞれのSampleToGroupボックスがサンプルグルーピングの前記タイプのサブタイプを指示するそれぞれのグルーピングタイプパラメータシンタックス要素を含むように前記複数のSampleToGroupボックスを生成するステップを含む請求項1に記載の方法。
【請求項３】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスの各々は、それぞれのバージョン識別子が1に等しくなければならないということである請求項1に記載の方法。
【請求項４】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスのうちのどの2つも、0よりも大きい同じ値を有するグループ説明インデックスシンタックス要素を有しないということである請求項1に記載の方法。
【請求項５】
前記特定のファイルフォーマットの要件は、単一のトラックまたはトラックフラグメントにおいて前記グルーピングタイプシンタックス要素の同じ値を持つ複数のSampleToGroupボックスがあるときに、前記複数のSampleToGroupボックスのどの2つも、グルーピングタイプパラメータシンタックス要素の同じ値を有しないということである請求項1に記載の方法。
【請求項６】
前記SampleGroupDescriptionボックスは、第1のSampleGroupDescriptionボックスであり、前記コンテナボックスを生成するステップは、前記コンテナボックス内の第2のSampleGroupDescriptionボックスを生成するステップを含み、前記第2のSampleGroupDescriptionボックスは前記特定の値と異なるグルーピングタイプシンタックス要素を有する請求項1に記載の方法。
【請求項７】
ビデオコンテンツを記憶するためのファイルを生成するためのデバイスであって、
前記ファイルを記憶するように構成されているメモリと、
1つまたは複数のプロセッサであって、
前記ファイルが特定のファイルフォーマットに従うように前記ファイルのコンテナボックスを生成するステップであって、前記コンテナボックスを生成する一環として、前記1つまたは複数のプロセッサは、
1つまたは複数のグループ説明エントリを含むSampleGroupDescriptionボックスを生成するステップであって、各それぞれのグループ説明エントリは、それぞれのサンプルグループに対する説明を与え、前記SampleGroupDescriptionボックスはサンプルグルーピングのタイプを識別するグルーピングタイプシンタックス要素をさらに含み、前記SampleGroupDescriptionボックス内の前記グルーピングタイプシンタックス要素は特定の値を有し、前記コンテナボックスはサンプルテーブルボックスまたはトラックフラグメントボックスであり、前記ファイルは、前記グルーピングタイプシンタックス要素の前記特定の値を持つ前記コンテナボックス内のSampleGroupDescriptionボックスが1つしかない特定のファイルフォーマットに属す、ステップと、
前記ファイルの同じコンテナボックス内で、複数のSampleToGroupボックスを生成するステップであって、前記複数のSampleToGroupボックスの各それぞれのSampleToGroupボックスは前記特定の値を有するそれぞれのグルーピングタイプシンタックス要素を含み、各それぞれのSampleToGroupボックスは1つまたは複数のサンプルグループエントリを含み、前記1つまたは複数のサンプルグループエントリのうちの各それぞれのサンプルグループエントリはそれぞれのサンプルグループ内のサンプルの数を指示するそれぞれのサンプルカウントシンタックス要素を含み、前記1つまたは複数のサンプルグループエントリのうちの各それぞれのサンプルグループエントリは前記それぞれのサンプルグループの説明を与える前記SampleGroupDescriptionボックス内のグループ説明エントリのインデックスを指示するそれぞれのグループ説明インデックスシンタックス要素を含み、前記それぞれのサンプルグループの各サンプルは前記ビデオコンテンツの1つまたは複数のピクチャを含む、ステップとを実行する、ステップと、
前記ファイルを出力するステップとを実行するように構成されている1つまたは複数のプロセッサとを備えるデバイス。
【請求項８】
前記1つまたは複数のプロセッサは、前記複数のSampleToGroupボックスのうちの各それぞれのSampleToGroupボックスについて、前記それぞれのSampleToGroupボックスがサンプルグルーピングの前記タイプのサブタイプを指示するそれぞれのグルーピングタイプパラメータシンタックス要素を含むように前記複数のSampleToGroupボックスを生成するように構成される請求項7に記載のデバイス。
【請求項９】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスの各々は、それぞれのバージョン識別子が1に等しくなければならないということである請求項7に記載のデバイス。
【請求項１０】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスのうちのどの2つも、0よりも大きい同じ値を有するグループ説明インデックスシンタックス要素を有しないということである請求項7に記載のデバイス。
【請求項１１】
前記特定のファイルフォーマットの要件は、単一のトラックまたはトラックフラグメントにおいて前記グルーピングタイプシンタックス要素の同じ値を持つ複数のSampleToGroupボックスがあるときに、前記複数のSampleToGroupボックスのどの2つも、グルーピングタイプパラメータシンタックス要素の同じ値を有しないということである請求項7に記載のデバイス。
【請求項１２】
前記デバイスは、
集積回路、
マイクロプロセッサ、または
ワイヤレス通信デバイスの少なくとも1つを備える、請求項7に記載のデバイス。
【請求項１３】
前記SampleGroupDescriptionボックスは、第1のSampleGroupDescriptionボックスであり、前記コンテナボックスを生成するステップは、前記コンテナボックス内の第2のSampleGroupDescriptionボックスを生成するステップを含み、前記第2のSampleGroupDescriptionボックスは前記特定の値と異なるグルーピングタイプシンタックス要素を有する請求項7に記載のデバイス。
【請求項１４】
前記ビデオコンテンツをキャプチャするように構成されているカメラをさらに備える請求項7に記載のデバイス。
【請求項１５】
ビデオコンテンツを記憶するためのファイルを生成するためのデバイスであって、
前記ファイルが特定のファイルフォーマットに従うように前記ファイルのコンテナボックスを生成するための手段であって、前記コンテナボックスを生成するための前記手段は、
1つまたは複数のグループ説明エントリを含むSampleGroupDescriptionボックスを生成するための手段であって、各それぞれのグループ説明エントリは、それぞれのサンプルグループに対する説明を与え、前記SampleGroupDescriptionボックスはサンプルグルーピングのタイプを識別するグルーピングタイプシンタックス要素をさらに含み、前記SampleGroupDescriptionボックス内の前記グルーピングタイプシンタックス要素は特定の値を有し、前記コンテナボックスはサンプルテーブルボックスまたはトラックフラグメントボックスであり、前記ファイルは、前記グルーピングタイプシンタックス要素の前記特定の値を持つ前記コンテナボックス内のSampleGroupDescriptionボックスが1つしかない特定のファイルフォーマットに属す、手段と、
前記ファイルの同じコンテナボックス内で、複数のSampleToGroupボックスを生成するための手段であって、前記複数のSampleToGroupボックスの各それぞれのSampleToGroupボックスは前記特定の値を有するそれぞれのグルーピングタイプシンタックス要素を含み、各それぞれのSampleToGroupボックスは1つまたは複数のサンプルグループエントリを含み、前記1つまたは複数のサンプルグループエントリのうちの各それぞれのサンプルグループエントリはそれぞれのサンプルグループ内のサンプルの数を指示するそれぞれのサンプルカウントシンタックス要素を含み、前記1つまたは複数のサンプルグループエントリのうちの各それぞれのサンプルグループエントリは前記それぞれのサンプルグループの説明を与える前記SampleGroupDescriptionボックス内のグループ説明エントリのインデックスを指示するそれぞれのグループ説明インデックスシンタックス要素を含み、前記それぞれのサンプルグループの各サンプルは前記ビデオコンテンツの1つまたは複数のピクチャを含む、手段とを含む、手段と、
前記ファイルを出力するための手段とを備えるデバイス。
【請求項１６】
前記複数のSampleToGroupボックスを生成するための前記手段は、前記複数のSampleToGroupボックスのうちの各それぞれのSampleToGroupボックスについて、前記それぞれのSampleToGroupボックスがサンプルグルーピングの前記タイプのサブタイプを指示するそれぞれのグルーピングタイプパラメータシンタックス要素を含むように前記複数のSampleToGroupボックスを生成するための手段を含む請求項15に記載のデバイス。
【請求項１７】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスの各々は、それぞれのバージョン識別子が1に等しくなければならないということである請求項15に記載のデバイス。
【請求項１８】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスのうちのどの2つも、0よりも大きい同じ値を有するグループ説明インデックスシンタックス要素を有しないということである請求項15に記載のデバイス。
【請求項１９】
前記特定のファイルフォーマットの要件は、単一のトラックまたはトラックフラグメントにおいて前記グルーピングタイプシンタックス要素の同じ値を持つ複数のSampleToGroupボックスがあるときに、前記複数のSampleToGroupボックスのどの2つも、グルーピングタイプパラメータシンタックス要素の同じ値を有しないということである請求項15に記載のデバイス。
【請求項２０】
ビデオコンテンツを記憶するためのファイルを読み込むためのデバイスであって、
前記ファイルを記憶するように構成されているメモリと、
前記ファイルから、前記ファイルのコンテナボックスを取得するように構成されている1つまたは複数のプロセッサであって、前記コンテナボックスは、
1つまたは複数のグループ説明エントリを含むSampleGroupDescriptionボックスであって、各それぞれのグループ説明エントリは、それぞれのサンプルグループに対する説明を与え、前記SampleGroupDescriptionボックスはサンプルグルーピングのタイプを識別するグルーピングタイプシンタックス要素をさらに含み、前記SampleGroupDescriptionボックス内の前記グルーピングタイプシンタックス要素は特定の値を有し、前記コンテナボックスはサンプルテーブルボックスまたはトラックフラグメントボックスであり、前記特定のファイルフォーマットの要件は、前記グルーピングタイプシンタックス要素の前記特定の値を持つ前記コンテナボックス内のSampleGroupDescriptionボックスが1つしかないということである、SampleGroupDescriptionボックスと、
複数のSampleToGroupボックスであって、前記複数のSampleToGroupボックスの各それぞれのSampleToGroupボックスは前記特定の値を有するそれぞれのグルーピングタイプシンタックス要素を含み、各それぞれのSampleToGroupボックスは1つまたは複数のサンプルグループエントリを含み、前記1つまたは複数のサンプルグループエントリのうちの各それぞれのサンプルグループエントリはそれぞれのサンプルグループ内のサンプルの数を指示するそれぞれのサンプルカウントシンタックス要素を含み、前記1つまたは複数のサンプルグループエントリのうちの各それぞれのサンプルグループエントリは前記それぞれのサンプルグループの説明を与える前記SampleGroupDescriptionボックス内のグループ説明エントリのインデックスを指示するそれぞれのグループ説明インデックスシンタックス要素を含み、前記それぞれのサンプルグループの各サンプルは前記ビデオコンテンツの1つまたは複数のピクチャを含む、複数のSampleToGroupボックスとを備える、1つまたは複数のプロセッサとを備えるデバイス。
【請求項２１】
前記複数のSampleToGroupボックスの各それぞれのSampleToGroupボックスは、サンプルグルーピングの前記タイプのサブタイプを指示するそれぞれのグルーピングタイプパラメータシンタックス要素を含む請求項20に記載のデバイス。
【請求項２２】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスの各々は、それぞれのバージョン識別子が1に等しくなければならないということである請求項20に記載のデバイス。
【請求項２３】
前記特定のファイルフォーマットの要件は、単一のコンテナボックス内で前記グルーピングタイプシンタックス要素の同じ値を持つ複数のSampleToGroupボックスがあるときに、前記複数のSampleToGroupボックスのうちのどの2つも、0よりも大きい同じ値を有するグループ説明インデックスシンタックス要素を有しないということである請求項20に記載のデバイス。
【請求項２４】
前記特定のファイルフォーマットの要件は、単一のトラックまたはトラックフラグメントにおいて前記グルーピングタイプシンタックス要素の同じ値を持つ複数のSampleToGroupボックスがあるときに、前記複数のSampleToGroupボックスのどの2つも、グルーピングタイプパラメータシンタックス要素の同じ値を有しないということである請求項20に記載のデバイス。
【請求項２５】
前記SampleGroupDescriptionボックスは、第1のSampleGroupDescriptionボックスであり、前記コンテナボックスは、第2のSampleGroupDescriptionボックスを備え、前記第2のSampleGroupDescriptionボックスは前記特定の値と異なるグルーピングタイプシンタックス要素を有する請求項20に記載のデバイス。